(57)【要約】【課題】省スペースを図ること、接続した接触ピンを確実に保持して電気的接触性能を確保すること、高い絶縁性を得ること、ごみの侵入を防止機構とすること。【解決手段】ハウジング４０の内部にノーマルクローズ端子４２とコモン端子４３を取り付け、外部にシェル４１を被せ、接触ピンの挿抜により前記ノ端子４２、４３を開閉するスイッチ付き同軸コネクタにおいて、前記ハウジング４０とシェル４１の全体形状をそれぞれ略円筒形とし、前記ハウジング４０に、前記ノーマルクローズ端子４２とコモン端子４３を接触ピンの挿抜方向と略同一方向に圧入する端子圧入溝４８と端子圧入溝４９をそれぞれ形成し、接触ピンの挿抜方向と前記ノーマルクローズ端子４２とコモン端子４３の開閉方向を略直交せしめて構成する。【選択図】図１
2009295432.tif 000002
【特許請求の範囲】
【請求項１】
絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングとシェルの全体形状をそれぞれ略円筒形とし、前記ハウジングに、前記少なくとも２個のそれぞれの端子を接触ピンの挿抜方向と略同一方向に圧入する端子圧入溝を形成し、接触ピンの挿抜方向と前記少なくとも２個の端子間の開閉方向を略直交せしめたことを特徴とするスイッチ付き同軸コネクタ。
【請求項２】
ハウジングの外壁に一体に回り止め突部を突設し、この回り止め突部を、シェルの側部に切り欠き形成した回り止め溝に係合したことを特徴とする請求項１記載のスイッチ付き同軸コネクタ。
【請求項３】
少なくとも２個の端子のうち、一方のノーマルクローズ端子は、垂直板状の圧入部と、この圧入部の上部側辺部の接触部と、前記圧入部の下端部を折曲した接続端子部とからなり、他方のコモン端子は、垂直板状の圧入部と、この圧入部から下向きに円弧状に伸び接触ピンの挿抜で水平方向に可動する圧入部と、この圧入部の側辺から略水平に伸び前記接続端子部に接離する接触片とからなることを特徴とする請求項１又は２記載のスイッチ付き同軸コネクタ。
【請求項４】
一方のノーマルクローズ端子の端子圧入溝は、圧入部が下方から圧入されるようにハウジングの下面から垂直に形成してなり、他方のコモン端子の端子圧入溝は、圧入部が下方から圧入されるようにハウジングの下面から垂直に形成してなり、この他方のコモン端子の端子圧入溝に連続して他方のコモン端子のばね部が可動するための可動空隙部と他方のコモン端子の接触片が一方のノーマルクローズ端子の接触部と接離するための接触片移動溝とをハウジングの下面から垂直に形成したことを特徴とする請求項３記載のスイッチ付き同軸コネクタ。
【請求項５】
一方のノーマルクローズ端子の圧入部が圧入される端子圧入溝と、接触ピンの挿抜により他方のコモン端子のばね部が可動するための可動空隙部との間に遮蔽壁部を形成したことを特徴とする請求項４記載のスイッチ付き同軸コネクタ。
【発明の詳細な説明】
【技術分野】
【０００１】
本発明は、携帯電話機などの小型の電子機器に内蔵されるコネクタであって、より小型化を図りつつスイッチの接触性能を向上せしめたスイッチ付き同軸コネクタに関するものである。
【背景技術】
【０００２】
従来のスイッチ付き同軸コネクタ１０は、図８及び図９に示されるものが知られている（特許文献１、２）。
これらの図において、スイッチ付き同軸コネクタ１０は、直径が２ｍｍ程度と極めて小さなもので、絶縁材からなるハウジング１３と、導電性金属からなるシェル１４とノーマルクローズ端子１５とコモン端子１６とで構成されている。
前記ハウジング１３は、上半分が円筒部１７で、中央にピン差し込み孔１７ａが穿設されている。また、ハウジング１３の下半分に、一方の端子支持突部１８と他方の端子支持突部２０を１８０度間隔で外方に突出させるとともに、これらに直交した２箇所に回り止め突部２２が突出させて一体に形成されている。
前記シェル１４は、上半分が前記円筒部１７に嵌合する円筒部２３で、下半分に前記端子支持突部１８と端子支持突部２０にまたがってグランド端子部２５が一体に形成され、これらグランド端子部２５の間の回り止め係止部２６が前記回り止め突部２２に係止される。
前記ノーマルクローズ端子１５は、ピン逃げ孔３０を穿設した接触部２７の一端をＬ字形に折曲し、両側部が圧入支持突片２９となり、中央部がＵ字形の接続端子部２８となっている。前記コモン端子１６は、接触片３１からばね部３２にかけてＵ字形に折曲し、ばね部３２に連続する両側部分が圧入支持突片３３となり、中央部がＵ字形の接続端子部３４となっている。
【０００３】
以上の構成において、前記ノーマルクローズ端子１５の圧入支持突片２９を、一方の端子支持突部１８における端子圧入部１９に圧入し、また、コモン端子１６の圧入支持突片３３を、他方の端子支持突部２０の端子圧入部２１に圧入する。前記シェル１４は、ハウジング１３の円筒部１７に被せると、回り止め係止部２６が回り止め突部２２の両側部に係合固着される。
このようにして組み立てられたスイッチ付き同軸コネクタ１０は、プリント基板１２の上の配線パターンに、グランド端子部２５、接続端子部２８、接続端子部３４が電気的に接続されると共に機械的に固定される。
スイッチ付き同軸コネクタ１０に、プローブ１１を差し込むと、プローブ１１の接触ピン３５がピン差し込み孔１７ａに差し込まれてコモン端子１６の接触片３１を鎖線のように押し下げ、ノーマルクローズ端子１５の接触部２７との接続が解除される。プローブ１１の膨出部３７がシェル１４の係止溝２４に係止された状態でプローブ１１は接続状態が保持される。
【特許文献１】特開平１１−３０７１８８号公報
【特許文献２】意匠登録第１２３４２１４号公報
【発明の開示】
【発明が解決しようとする課題】
【０００４】
従来のスイッチ付き同軸コネクタ１０は、上半分が円筒形をなしているが、下半分が４角形をなしている。４角形をなしているのは、次のような理由による。
（１）ノーマルクローズ端子１５の接触部２７、圧入支持突片２９、接続端子部２８と、コモン端子１６の接触片３１、ばね部３２、圧入支持突片３３、接続端子部３４が略同一平面上に形成されていること
（２）ノーマルクローズ端子１５とコモン端子１６が上記（１）に示した形状をしているため横方向から挿入しなければならないこと
（３）ハウジング１３の回り止め機構と端子部の配列認識機構とがノーマルクローズ端子１５とコモン端子１６の挿入部分以外に設けなければならないこと
などの理由による。
【０００５】
このように、スイッチ付き同軸コネクタ１０を４角形にすると以下のような問題があった。
（１）プリント基板１２における占有面積が大きくなり、省スペースを図りづらい。
（２）スイッチ付き同軸コネクタ１０は、下半分が４角形をなしていると、図９に示すように、全体の高さに比較して上半分の円筒形部分の高さがそれだけ低くなり、スイッチ付き同軸コネクタ１０の上面と係止溝２４までの距離ａが小さくなり、接続したプローブ１１が安定して自立できなくなり、わずかにこじりを加えただけでスイッチ付き同軸コネクタ１０から抜け出てしまう恐れがある。
（３）ノーマルクローズ端子１５とコモン端子１６が略同一平面上に形成されているために互いに接近する箇所が生じ、高い絶縁性が得られない。
（４）プローブ１１の接触ピン３５を挿入するピン差し込み孔１７ａの位置と、接触部２７と接触片３１の接離する位置が近いためピン差し込み孔１７ａからのごみの侵入を防止する機構が採りにくい。
【０００６】
本発明の目的は、省スペースを図ること、接続したプローブなどの接触ピンを確実に保持して電気的接触性能を確保することにある。
本発明の他の目的は、ノーマルクローズ端子とコモン端子が互いに接近する箇所をなくし、高い絶縁性を得ること、ごみの侵入を防止する機構が採りやすい機構とすることにある。
【課題を解決するための手段】
【０００７】
本発明によるスイッチ付き同軸コネクタは、絶縁材からなるハウジング４０の内部に導電性を有する一方の端子であるノーマルクローズ端子４２と他方の端子であるコモン端子４３を取り付け、外部にシェル４１を被せ、接触ピンの挿抜により前記ノーマルクローズ端子４２とコモン端子４３を開閉するスイッチ付き同軸コネクタ９において、前記ハウジング４０とシェル４１の全体形状をそれぞれ略円筒形とし、前記ハウジング４０に、前記ノーマルクローズ端子４２とコモン端子４３を接触ピンの挿抜方向と略同一方向に圧入する端子圧入溝４８と端子圧入溝４９をそれぞれ形成し、接触ピンの挿抜方向と前記ノーマルクローズ端子４２とコモン端子４３の開閉方向を略直交せしめたことを特徴とする。
【０００８】
前記ハウジング４０の外壁に一体に回り止め突部４７を突設し、この回り止め突部４７を、シェル４１の側部に切り欠き形成した回り止め溝５３に係合したことを特徴とする。
【０００９】
ノーマルクローズ端子４２は、垂直板状の圧入部５９と、この圧入部５９の上部側辺部の接触部５７と、前記圧入部５９の下端部を折曲した接続端子部５８とからなり、コモン端子４３は、垂直板状の圧入部６０と、この圧入部６０から下向きに円弧状に伸び接触ピンの挿抜で水平方向に可動する圧入部６０と、この圧入部６０の側辺から略水平に伸び前記接続端子部５８に接離する接触片６２とからなることを特徴とする。
【００１０】
端子圧入溝４８は、ノーマルクローズ端子４２の圧入部５９が下方から圧入されるようにハウジング４０の下面から垂直に形成してなり、端子圧入溝４９は、コモン端子４３の圧入部６０が方から圧入されるようにハウジング４０の下面から垂直に形成してなり、この端子圧入溝４９に連続してコモン端子４３のばね部６１が可動するための可動空隙部６７とコモン端子４３の接触片６２がノーマルクローズ端子４２の接触部５７と接離するための接触片移動溝５０とをハウジング４０の下面から垂直に形成したことを特徴とする。
【００１１】
ノーマルクローズ端子４２の圧入部５９が圧入される端子圧入溝４８と、接触ピンの挿抜によりコモン端子４３のばね部６１が可動するための可動空隙部６７との間に遮蔽壁部６５を形成したことを特徴とする。
【発明の効果】
【００１２】
請求項１記載の発明によれば、絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングとシェルの全体形状をそれぞれ略円筒形とし、前記ハウジングに、前記少なくとも２個のそれぞれの端子を接触ピンの挿抜方向と略同一方向に圧入する端子圧入溝を形成し、接触ピンの挿抜方向と前記少なくとも２個の端子間の開閉方向を略直交せしめたので、下半分の４角形部分がなくなり、プリント基板１２における占有面積が大きくなり、省スペースを図ることができる。また、図１に示すように、スイッチ付き同軸コネクタの上面と係止溝までの距離ｂが充分大きくなり、接続したプローブなどが安定して自立でき、こじりを加えても抜け出る恐れがない。さらに、一方の端子と他方の端子が接触ピンの挿抜方向と略同一方向に圧入され、かつ、接触ピンの挿抜方向と前記少なくとも２個の端子間の開閉方向を略直交せしめたことにより、互いに接近する箇所がなくなり、高い絶縁性が得られる。
【００１３】
請求項２記載の発明によれば、ハウジングの外壁に一体に回り止め突部を突設し、この回り止め突部を、シェルの側部に切り欠き形成した回り止め溝に係合したので、ハウジングやシェルから突出する部分がなくなり、省スペースを図ることができる。
【００１４】
請求項３記載の発明によれば、少なくとも２個の端子のうち、一方のノーマルクローズ端子は、垂直板状の圧入部と、この圧入部の上部側辺部の接触部と、前記圧入部の下端部を折曲した接続端子部とからなり、他方のコモン端子は、垂直板状の圧入部と、この圧入部から下向きに円弧状に伸び接触ピンの挿抜で水平方向に可動する圧入部と、この圧入部の側辺から略水平に伸び前記接続端子部に接離する接触片とからなる構成とした。このため、スイッチ付き同軸コネクタ全体の形状を円筒形にでき、プリント基板における占有面積を小さくして、省スペースを図ることができる。
【００１５】
請求項４記載の発明によれば、一方のノーマルクローズ端子の端子圧入溝は、圧入部が下方から圧入されるようにハウジングの下面から垂直に形成してなり、他方のコモン端子の端子圧入溝は、圧入部が下方から圧入されるようにハウジングの下面から垂直に形成してなり、この他方のコモン端子の端子圧入溝に連続して他方のコモン端子のばね部が可動するための可動空隙部と他方のコモン端子の接触片が一方のノーマルクローズ端子の接触部と接離するための接触片移動溝とをハウジングの下面から垂直に形成した。このため、従来は、２個の端子の各部が平面的に構成され互いに接近していたが、本発明では、互いに離れて構成でき、絶縁特性を格段に向上できた。
【００１６】
請求項５記載の発明によれば、一方のノーマルクローズ端子の圧入部が圧入される端子圧入溝と、接触ピンの挿抜により他方のコモン端子のばね部が可動するための可動空隙部との間に遮蔽壁部を形成したので、プローブなどの接触ピンを挿入するピン差し込み孔の位置と、２個の端子の接触部の接離する位置が遮断されてピン差し込み孔からのごみの侵入を防止できる。
【発明を実施するための最良の形態】
【００１７】
本発明は、絶縁材からなるハウジング４０の内部に、導電性を有する少なくとも２個の端子、具体的には、ノーマルクローズ端子４２とコモン端子４３を取り付け、外部にシェル４１を被せ、測定用プローブなどの接触ピンの挿抜により前記ノーマルクローズ端子４２とコモン端子４３を開閉するスイッチ付き同軸コネクタ９に用いられる。
前記ハウジング４０とシェル４１の全体形状は、それぞれ略円筒形とし、前記ハウジング４０に、前記ノーマルクローズ端子４２とコモン端子４３を接触ピンの挿抜方向と略同一方向に圧入する端子圧入溝４８と端子圧入溝４９を形成し、接触ピンの挿抜方向と前記ノーマルクローズ端子４２とコモン端子４３の開閉方向を略直交せしめる。
【００１８】
ハウジング４０とシェル４１の回り止め機構は、ハウジング４０の外壁に一体に回り止め突部４７を突設し、この回り止め突部４７を、シェル４１の側部に切り欠き形成した回り止め溝５３に係合して構成する。
【００１９】
ハウジング４０に内蔵される２個の端子のうち、ノーマルクローズ端子４２は、垂直板状の圧入部５９と、この圧入部５９の上部側辺部の接触部５７と、前記圧入部５９の下端部を折曲した接続端子部５８とからなり、コモン端子４３は、垂直板状の圧入部６０と、この圧入部６０から下向きに円弧状に伸び接触ピンの挿抜で水平方向に可動する圧入部６０と、この圧入部６０の側辺から略水平に伸び前記接続端子部５８に接離する接触片６２とからなる構成、すなわち垂直方向に圧入される構成とする。
【００２０】
ハウジング４０に内蔵される２個の端子圧入溝のうち、一方の端子圧入溝４８は、ノーマルクローズ端子４２の圧入部５９が下方から圧入されるようにハウジング４０の下面から垂直に形成してなり、他方の端子圧入溝４９は、コモン端子４３の圧入部６０が方から圧入されるようにハウジング４０の下面から垂直に形成してなり、この端子圧入溝４９に連続してコモン端子４３のばね部６１が可動するための可動空隙部６７とコモン端子４３の接触片６２がノーマルクローズ端子４２の接触部５７と接離するための接触片移動溝５０とをハウジング４０の下面から垂直に形成する。
【００２１】
ハウジング内の端子部へのごみの侵入防止のため、ノーマルクローズ端子４２の圧入部５９が圧入される端子圧入溝４８と、接触ピンの挿抜によりコモン端子４３のばね部６１が可動するための可動空隙部６７との間に遮蔽壁部６５を形成する。
【実施例１】
【００２２】
本発明の実施例１を図１ないし図７に基づき説明する。
本発明によるスイッチ付き同軸コネクタ９は、図２に示すように、組み立て後の形状が上端から下端まで全体が円筒形をなすように構成したもので、プラスチック材料などの絶縁材料からなるハウジング４０と、導電性金属板の絞り加工等によるシェル４１と、さらに、導電性金属板のプレス加工等による少なくとも２個の端子、具体的には、ノーマルクローズ端子１５とコモン端子１６とから構成されている。
【００２３】
前記ハウジング４０は、中央の上端から下端まで貫通してピン差し込み孔４５が穿設され、円筒部４４の下半部には、１８０度の間隔で２箇所に回り止め突部４７が膨出し、他の２箇所には、後述するシェル４１の抜け止め片５４に係止する係止突部６４が形成されている。図１、図６、図７に示すように、このハウジング４０の底面側からノーマルクローズ端子４２が圧入される端子圧入溝４８とコモン端子４３が圧入される端子圧入溝４９が上方向に向かって垂直に穿設されている。この端子圧入溝４９には、後述するコモン端子４３のばね部６１がプローブ１１の挿抜で可動するための可動空隙部６７が連続して形成され、また、この可動空隙部６７と端子圧入溝４８の間の中央部分が遮蔽壁部６５で遮蔽されている。そして、この遮蔽壁部６５の側方部分が後述するノーマルクローズ端子４２の接触部５７とコモン端子４３の接触片６２が接離するために必要な空間だけ接触片移動溝５０で連続している。
【００２４】
前記シェル４１は、前記ハウジング４０に上から被さるような円筒形をなし、上面には、ハウジング嵌合孔５１が穿設され、このハウジング嵌合孔５１の一部に組み立てや配線などの位置決め切り欠き５２が切り欠かれている。このシェル４１の外周面には、全周囲に係止溝５５が形成され、また、図４に示すように、側壁の２箇所に内側にやや切り起こされた抜け止め片５４が形成されている。シェル４１の下面には、９０度間隔で外向きに折曲したグランド端子部５６が形成され、これらグランド端子部５６の間は１８０度間隔で深く切り欠いた回り止め溝５３が形成されると共に、他の１８０度の間隔で浅く切り欠いた端子逃げ部６６が形成されている。
【００２５】
前記ノーマルクローズ端子４２は、図２、図３（ａ）に示すように、前記端子圧入溝４８に圧入される垂直な圧入部５９を有し、上端側辺部が接触部５７を構成し、下端部が折曲されて接続端子部５８を構成している。５９ａは、圧入突部である。
前記コモン端子４３は、図２、図３（ａ）に示すように、前記端子圧入溝４９に圧入されるＬ字形で垂直な圧入部６０を有し、上端から下向きに円形に湾曲し上方まで伸びたばね部６１を構成し、このばね部６１の側辺の一部を直角で、かつ、略水平に折曲して接触片６２とし、下端部が折曲されて接続端子部６３を構成している。６０ａは、圧入突部である。
【００２６】
以上のように構成された各部品の組み立てを説明する。
ハウジング４０の端子圧入溝４８にノーマルクローズ端子４２の圧入部５９を圧入すると、ノーマルクローズ端子４２の接触部５７が接触片移動溝５０に臨ませられ、かつ、接続端子部５８がハウジング４０の下面に臨ませられて圧入突部５９ａにて固定的に取り付けられる。
ハウジング４０の端子圧入溝４９にコモン端子４３の圧入部６０を圧入すると、コモン端子４３のばね部６１が可動空隙部６７に遊嵌して遮蔽壁部６５の側面にやや隙間を以て臨ませられるとともに、接触片６２が接触片移動溝５０に遊嵌してノーマルクローズ端子４２の接触部５７に接触し、かつ、接続端子部６３がハウジング４０の下面に臨ませられて圧入突部６０ａにて固定的に取り付けられる。
このようにコモン端子４３の接触片６２とノーマルクローズ端子４２の接触部５７が接触片移動溝５０の位置で相対するだけで、ノーマルクローズ端子４２とコモン端子４３の他の部分は遮蔽壁部６５で遮断される。
ついでシェル４１をハウジング４０に被せて圧入すると、位置決め切り欠き５２に位置決め突部４６が嵌合し、回り止め溝５３に回り止め突部４７が嵌合し、さらに、抜け止め片５４と係止突部６４が係止して固着される。
【００２７】
以上のように組み立てられたスイッチ付き同軸コネクタ９は、接続端子部５８、接続端子部６３、グランド端子部５６をプリント基板１２のプリント配線パターン部分に載せて半田等で電気的に接続すると共に、機械的に固着する。
スイッチ付き同軸コネクタ９のピン差し込み孔４５にプローブ１１の接触ピン３５を差し込むと、接触ピン３５は、従来に比較して大きなストロークでピン差し込み孔４５から遮蔽壁部６５の壁面に案内されてコモン端子４３のばね部６１を可動空隙部６７内で水平方向に圧縮するように変形し、これに伴い、接触片移動溝５０内のばね部６１と一体の接触片６２がノーマルクローズ端子４２の接触部５７から離れる。そのため、ノーマルクローズ端子４２は電気的に開放し、コモン端子４３が接触ピン３５と接続する。また、プローブ１１のシェル３６がシェル４１に接触してグランド端子部５６へ接続される。プローブ１１を差し込むと、シェル３６の膨出部３７がスイッチ付き同軸コネクタ９の係止溝５５に係止する。スイッチ付き同軸コネクタ９が全体として円筒形であるため、図１に示すように、スイッチ付き同軸コネクタ９の上面から係止溝５５の位置までの距離ｂを長くすることができ、プローブ１１のこじりなどにも十分耐えて安定して自立できる。
【００２８】
プローブ１１をスイッチ付き同軸コネクタ９から引き抜くと、プローブ１１の膨出部３７がスイッチ付き同軸コネクタ９の係止溝５５から外れ、接触ピン３５がピン差し込み孔４５から抜き去られてコモン端子４３のばね部６１が弾性復帰し、コモン端子４３の接触片６２がノーマルクローズ端子４２の接触部５７に接触して元に戻る。
【００２９】
前記実施例では、ハウジング４０内の端子を、ノーマルクローズ端子４２とコモン端子４３の２個が内蔵されている場合について説明したが、少なくとも２個であればよく、端子の数に限定されない。
また、２個の端子は、ノーマルクローズ端子４２とコモン端子４３に限定される必要はない。
本発明によるスイッチ付き同軸コネクタ９に、測定用プローブ１１を挿抜する場合について説明したが、これに限られるものではなく、２個の端子が接触ピンの挿抜で開閉するものであればよい。
【図面の簡単な説明】
【００３０】
【図１】本発明によるスイッチ付き同軸コネクタ９の一実施例を示すもので、プローブ１１を挿入した状態の縦断面図である。
【図２】本発明によるスイッチ付き同軸コネクタ９の各部品の分解斜視図である。
【図３】（ａ）は、ノーマルクローズ端子４２の拡大斜視図、（ｂ）は、コモン端子４３を正面から見た拡大斜視図、（ｃ）は、コモン端子４３を背面から見た拡大斜視図である。
【図４】ハウジング４０とシェル４１の結合状態を示す断面図である。
【図５】本発明によるスイッチ付き同軸コネクタ９の平面図である。
【図６】図５の底面図である。
【図７】図１のＡ−Ａ線断面図である。
【図８】従来のスイッチ付き同軸コネクタ１０の各部品の分解斜視図である。
【図９】従来のスイッチ付き同軸コネクタ１０にプローブ１１を挿入した状態の縦断面図である。
【符号の説明】
【００３１】
９…本発明によるスイッチ付き同軸コネクタ、１０…従来のスイッチ付き同軸コネクタ、１１…プローブ、１２…プリント基板、１３…ハウジング、１４…シェル、１５…ノーマルクローズ端子、１６…コモン端子、１７…円筒部、１８…端子支持突部、１９…端子圧入部、２０…端子支持突部、２１…端子圧入部、２２…回り止め突部、２３…円筒部、２４…係止溝、２５…グランド端子部、２６…回り止め係止部、２７…接触部、２８…接続端子部、２９…圧入支持突片、３０…ピン逃げ孔、３１…接触片、３２…ばね部、３３…圧入支持突片、３４…接続端子部、３５…接触ピン、３６…シェル、３７…膨出部、４０…ハウジング、４１…シェル、４２…ノーマルクローズ端子、４３…コモン端子、４４…円筒部、４５…ピン差し込み孔、４６…位置決め突部、４７…回り止め突部、４８…端子圧入溝、４９…端子圧入溝、５０…接触片移動溝、５１…ハウジング嵌合孔、５２…位置決め切り欠き、５３…回り止め溝、５４…抜け止め片、５５…係止溝、５６…グランド端子部、５７…接触部、５８…接続端子部、５９…圧入部、６０…圧入部、６１…ばね部、６２…接触片、６３…接続端子部、６４…係止突部、６５…遮蔽壁部、６６…端子逃げ部、６７…可動空隙部。
【図１】
2009295432.tif 000003
【図２】
2009295432.tif 000004
【図３】
2009295432.tif 000005
【図４】
2009295432.tif 000006
【図５】
2009295432.tif 000007
【図６】
2009295432.tif 000008
【図７】
2009295432.tif 000009
【図８】
2009295432.tif 000010
【図９】
2009295432.tif 000011